(57)【要約】【課題】施工した時に継ぎ目が目立ちにくい建築板、および建築板の施工構造を提供する。【解決手段】第１方向に延びる複数の第１目地と、第１方向と直交する第２方向に延びる複数の第２目地と、第１目地及び第２目地によって区画された複数の第１凸部、第２凸部と、各第１凸部を複数の第１ブロックに区画する、第２方向に延びた細溝と、建築板の第１方向の両端部に配された端ブロックと、建築板の第１方向の一方の端部に配され、第２方向に延びた凹部と、を備えた建築板。２つの建築板を第１方向に隣合わせて施工した際に、一方の建築板の他方の端部に配された端ブロックと、他方の建築板の一方の端部に配された端ブロックが突き合わされることにより、第１目地及び第２目地によって区画された第３凸部が形成されるとともに、一方の建築板の第２凸部と他方の建築板の第２凸部は凹部を介して隣り合う。【選択図】図３
2020084571.tif 000002
【特許請求の範囲】
【請求項１】
第１方向に延びる複数の第１目地と、
前記第１方向と直交する第２方向に延びる複数の第２目地と、
前記第１目地及び前記第２目地によって区画された複数の第１凸部、第２凸部と、
各前記第１凸部を複数の第１ブロックに区画する、前記第２方向に延びた細溝と、
建築板の前記第１方向の両端部に配された端ブロックと、
前記建築板の前記第１方向の一方の端部に配され、前記第２方向に延びた凹部と、を備え、
前記第２凸部の前記第２方向の幅は、前記第１凸部の前記第２方向の幅よりも広く、
各前記細溝は、表面からの深さが前記第２目地の深さよりも浅く、前記第１方向の幅が前記第２目地の前記第１方向の幅よりも狭く、
各前記第１目地は、前記建築板の前記一方の端部から前記他方の端部まで連続し、
前記両端部の前記端ブロックの間には、前記第１凸部が前記第１方向に沿って配されており、
前記凹部の他方側には、複数の前記第２凸部が前記第１方向に沿って配されており、
２つの前記建築板を前記第１方向に隣合わせて施工した際に、一方側の前記建築板の前記他方の端部に配された前記端ブロックと、他方側の前記建築板の前記一方の端部に配された前記端ブロックが突き合わされることにより、前記第１目地及び前記第２目地によって区画された第３凸部が形成され、
前記一方側の前記建築板の前記第２凸部と、前記他方側の前記建築板の前記第２凸部は、前記凹部を介して隣り合う建築板。
【請求項２】
前記第１凸部において、前記第１方向で前記細溝を介して隣接する前記第１ブロックの前記第２方向の位置は互いに異なる形態を有する請求項１に記載の建築板。
【請求項３】
前記両端部の前記端ブロックの前記第２方向の位置は互いに異なる形態を有する請求項２に記載の建築板。
【請求項４】
前記第２目地を介して前記第１方向で隣接する前記第１凸部の前記第２方向の位置は互いに異なる形態を有する請求項１に記載の建築板。
【請求項５】
前記第２目地を介して前記第１方向で隣接する前記第２凸部の前記第２方向の位置は互いに異なる形態を有する請求項１に記載の建築板。
【請求項６】
２つの建築板を、第１方向に隣合わせて施工した建築板の施工構造であって、
前記建築板は、第１方向に延びる複数の第１目地と、
前記第１方向と直交する第２方向に延びる複数の第２目地と、
前記第１目地及び前記第２目地によって区画された複数の第１凸部、第２凸部と、
各前記第１凸部を複数の第１ブロックに区画する、前記第２方向に延びた細溝と、
建築板の前記第１方向の両端部に配された端ブロックと、
前記建築板の前記第１方向の一方の端部に配され、前記第２方向に延びた凹部と、を備え、
前記第２凸部の前記第２方向の幅は、前記第１凸部の前記第２方向の幅よりも広く、
各前記細溝は、表面からの深さが前記第２目地の深さよりも浅く、前記第１方向の幅が前記第２目地の前記第１方向の幅よりも狭く、
各前記第１目地は、前記建築板の前記一方の端部から前記他方の端部まで連続し、
前記両端部の前記端ブロックの間には、前記第１凸部が前記第１方向に沿って配されており、
前記凹部の他方側には、複数の前記第２凸部が前記第１方向に沿って配されており、
前記第１方向に隣合わせて施工された前記建築板において、一方側の前記建築板の前記他方の端部に配された前記端ブロックと、他方側の前記建築板の前記一方の端部に配された前記端ブロックが突き合わされることにより、前記第１目地及び前記第２目地によって区画された第３凸部が形成されており、
前記一方側の前記建築板の前記第２凸部と、前記他方側の前記建築板の前記第２凸部は、前記凹部を介して隣り合う建築板の施工構造。
【発明の詳細な説明】
【技術分野】
【０００１】
本発明は、建築物の壁を構成する建築板、及び建築板を隣合わせた建築板の施工構造に関する。
【背景技術】
【０００２】
建築物の外壁を構成する建築板として、窯業系サイディングボードや金属系サイディングボードなどが用いられる。建築板の表面には、タイル、煉瓦、石の外観模様を創出すべく、方形状の凹凸模様を形成することが行われている。このような建築板を上下左右に施工すると、タイル、煉瓦、石などが積み重ねられた外観模様を呈する、意匠性の高い外壁が構成される。
【０００３】
方形状の凹凸模様を有する建築板の場合、凸模様と凸模様の間には縦横方向に凹模様（縦目地、横目地）が馬目地として形成されることが行われている。その場合、一枚の建築板の両端には、一つの凸模様が分割された凸模様部分が一段置きに形成されるようになり、また、端には縦目地が通しで形成される。従って、横方向に建築板を継ぎ合わせた場合、継ぎ目部分は馬目地状とはならず、一つの凸部模様が縦目地で分断されているように見え、違和感を感じるという不具合があった。
【０００４】
そこで、特許文献１には、建築板の両端を凸模様に沿って夫々ジグザグ状とすることが記載されている。
【０００５】
また、特許文献２には、建築板の一方の端部には半ブリック部分の端部を全ブリック部分の端部と揃えて配し、他方の端部には全ブリック部分の端部に縦目地を設けると共に、半ブリック部分の端部に縦目地を設けることなくその縦目地分だけ大きくして全ブリック部分の端部の縦目地に揃えて配することが記載されている。
【先行技術文献】
【特許文献】
【０００６】
【特許文献１】特開２００３−１６１０２６号公報
【特許文献１】特開２０００−１２９８８６号公報
【発明の概要】
【発明が解決しようとする課題】
【０００７】
しかし、特許文献１の建築板は両端が夫々ジグザグ状の凹凸組み合わせとなっているので、隣接する建築板の凹凸部を正確に合致させながら凹部に凸部を挿入して咬み合わせるように嵌合させなければならず、その作業が大変であると共に、施工不良が生じ易い等の問題があった。
【０００８】
特許文献２の建築板においては、並列された複数の建築板の一方側の半ブリック部分と他方側の半ブリック部分を相互に位置合わせして継ぎ合わせた際には、両側の半ブリック部分が一体となって全ブリック模様を現すことができる。
【０００９】
しかし、一方側の半ブリック部分と他方側の半ブリック部分の継ぎ目を無くすことはできず、継ぎ目が目立つ。
【００１０】
本発明は、このような事情のもとで考え出されたものであり、その目的は、施工した時に継ぎ目が目立ちにくい建築板、および建築板の施工構造を提供することにある。
【課題を解決するための手段】
【００１１】
本発明の第１の態様によると、第１方向に延びる複数の第１目地と、第１方向と直交する第２方向に延びる複数の第２目地と、第１目地及び第２目地によって区画された複数の第１凸部、第２凸部と、各第１凸部を複数の第１ブロックに区画する、第２方向に延びた細溝と、建築板の第１方向の両端部に配された端ブロックと、建築板の第１方向の一方の端部に配され、第２方向に延びた凹部と、を備えた建築板が提供される。第２凸部の第２方向の幅は、第１凸部の第２方向の幅よりも広い。各細溝は、表面からの深さが第２目地の深さよりも浅く、第１方向の幅が第２目地の第１方向の幅よりも狭い。各第１目地は、建築板の一方の端部から他方の端部まで連続する。両端部の端ブロックの間には、第１凸部が第１方向に沿って配されており、凹部の他方には、複数の第２凸部が第１方向に沿って配されている。そして、２つの建築板を第１方向に隣合わせて施工した際に、一方の建築板の他方の端部に配された端ブロックと、他方の建築板の一方の端部に配された端ブロックが突き合わされることにより、第１目地及び第２目地によって区画された第３凸部が形成されるとともに、一方の建築板の第２凸部と、他方の建築板の第２凸部は、凹部を介して隣り合う。
【００１２】
第１の態様の建築板では、第１方向の両端部に端ブロックが配されており、両端の端ブロックの間には、第２目地によって区画された複数の第１凸部が第１方向に沿って配されている。そして、２つの建築板を第１方向に隣合わせて施工すると、一方側の建築板の他方の端部に配された端ブロックと、他方側の建築板の一方の端部に配された端ブロックが突き合わされることにより、第１目地及び第２目地によって区画された第３凸部が形成され、第１凸部と第１方向に沿って並ぶ。
【００１３】
第３凸部には第２方向に沿った建築板の継ぎ目が形成されるが、第１凸部も第２方向に沿って延びた細溝を有する。第３凸部の建築板の継ぎ目が第１凸部の細溝と類似するので、建築板の継ぎ目は目立ちにくく、違和感を生じにくい。
【００１４】
また、第１の態様の建築板では、第１方向の一方の端部に凹部が配されており、凹部の他方には、第２目地によって区画された複数の第２凸部が第１方向に沿って配されている。そして、２つの建築板を第１方向に隣合わせて施工すると、一方側の建築板の第２凸部と、他方側の建築板の第２凸部は、凹部を介して隣り合う。凹部は第２目地に類似するとともに、板の継ぎ目は凹部側に形成されるので、建築板の継ぎ目は目立ちにくく、違和感を生じにくい。
【００１５】
更に、第２凸部の第２方向の幅は、第１凸部の第２方向の幅よりも広いので、凹部側に形成される板の継ぎ目が多くなり、建築板の継ぎ目は目立ちにくい。
【００１６】
以上のように、本発明の第１の態様は、第１方向に隣合わせて施工した時に、継ぎ目が目立ちにくい建築板を実現するのに適する。
【００１７】
本発明の第２の態様による建築板は、第１の態様に加え、第１凸部において、第１方向で細溝を介して隣接する第１ブロックの第２方向の位置は互いに異なる形態を有する。ここで、形態を有するとは、第１方向で細溝を介して隣接する第１ブロックの第２方向の位置は、全てが互いに異なっても良いし、一部の第１ブロックだけが異なっても良いことを示す。
【００１８】
端ブロックにより形成される第３凸部は、不陸等により端ブロックの第２方向の位置がずれることもある。その場合、隣接する端ブロックの第２方向の位置は互いに異なる。しかし、第１凸部においても、隣接する第１ブロックの第２方向の位置が互いに異なる形態を有するので、隣接する端ブロックの第２方向の位置が互いに異なっても目立ちにくくなるので好ましい。
【００１９】
本発明の第３の態様による建築板は、第２の態様に加え、両端部の端ブロックの第２方向の位置は互いに異なる形態を有する。
【００２０】
本発明の第３の態様では、第３凸部内で隣接する端ブロックの第２方向の位置がずれるが、第１凸部においても、隣接する第１ブロックの第２方向の位置が互いに異なる形態を有するので、第３凸部の端ブロックの第２方向の位置ずれが目立ちにくくなるので好ましい。また、両端の端ブロックの第２方向の位置を厳密に合わせる必要がないので、作業性に優れる。
【００２１】
本発明の第４の態様による建築板は、第１の態様に加え、第２目地を介して第１方向で隣接する第１凸部の第２方向の位置は互いに異なる形態を有する。
【００２２】
一方側の建築板の第１凸部と、他方側の建築板の第１凸部は、不陸等により第２方向の位置がずれることもある。しかし、建築板内においても、第２目地を介して第１方向で隣接する第１凸部の第２方向の位置が互いに異なる形態を有するので、一方側の建築板の第１凸部と他方側の建築板の第１凸部の第２方向の位置が異なっても目立ちにくくなるので好ましい。
【００２３】
本発明の第５の態様による建築板は、第１の態様に加え、第２目地を介して第１方向で隣接する第２凸部の第２方向の位置は互いに異なる形態を有する。
【００２４】
一方側の建築板の第２凸部と、他方側の建築板の第２凸部は、不陸等により第２方向の位置がずれることもある。しかし、建築板内においても、第２目地を介して第１方向で隣接する第２凸部の第２方向の位置が互いに異なる形態を有するので、一方側の建築板の第２凸部と他方側の建築板の第２凸部の第２方向の位置が異なっても目立ちにくくなるので好ましい。
【００２５】
本発明の第６の態様によると、２つの建築板を、第１方向に隣合わせて施工した建築板の施工構造が提供される。
【００２６】
建築板は、第１方向に延びる複数の第１目地と、第１方向と直交する第２方向に延びる複数の第２目地と、第１目地及び第２目地によって区画された複数の第１凸部、第２凸部と、各第１凸部を複数の第１ブロックに区画する、第２方向に延びた細溝と、建築板の第１方向の両端部に配された端ブロックと、建築板の第１方向の一方の端部に配され、第２方向に延びた凹部と、を備える。第２凸部の第２方向の幅は、第１凸部の第２方向の幅よりも広い。各細溝は、表面からの深さが第２目地の深さよりも浅く、第１方向の幅が第２目地の第１方向の幅よりも狭い。各第１目地は、建築板の一方の端部から他方の端部まで連続する。両端部の端ブロックの間には、第１凸部が第１方向に沿って配されており、凹部の他方には、複数の第２凸部が第１方向に沿って配されている。そして、第１方向に隣合わせて施工された建築板において、一方の建築板の他方の端部に配された端ブロックと、他方の建築板の一方の端部に配された端ブロックが突き合わされることにより、第１目地及び第２目地によって区画された第３凸部が形成されており、一方の建築板の第２凸部と、他方の建築板の第２凸部は、凹部を介して隣り合う。
【００２７】
本態様では、建築板の第１方向の両端部に端ブロックが配されており、両端の端ブロックの間には、第２目地によって区画された複数の第１凸部が第１方向に沿って配されている。そして、２つの建築板を第１方向に隣合わせて施工するので、一方側の建築板の他方の端部に配された端ブロックと、他方側の建築板の一方の端部に配された端ブロックが突き合わされて、第１目地及び第２目地によって区画された第３凸部が形成され、第１凸部と第１方向に沿って並ぶ。
【００２８】
第３凸部には第２方向に沿った建築板の継ぎ目が形成されるが、第１凸部も第２方向に沿って延びた細溝を有する。第３凸部の建築板の継ぎ目が第１凸部の細溝と類似するので、建築板の継ぎ目は目立ちにくく、違和感を生じにくい。
【００２９】
また本態様では、建築板の第１方向の一方の端部に凹部が配されており、凹部の他方には、第２目地によって区画された複数の第２凸部が第１方向に沿って配されている。そして、２つの建築板を第１方向に隣合わせて施工するので、一方側の建築板の第２凸部と、他方側の建築板の第２凸部は、凹部を介して隣り合う。凹部は第２目地に類似するとともに、板の継ぎ目は凹部側に形成されるので、建築板の継ぎ目は目立ちにくく、違和感を生じにくい。
【００３０】
更に、第２凸部の第２方向の幅は、第１凸部の第２方向の幅よりも広いので、凹部側に形成される板の継ぎ目が多くなり、建築板の継ぎ目は目立ちにくい。
【００３１】
以上のように、本発明の第６の態様による建築板の施工構造は、板の継ぎ目が目立ちにくい。
【図面の簡単な説明】
【００３２】
【図１】本発明の実施の形態１に係る外壁板の正面図である。
【図２】図１におけるＡ−Ａ線による断面図である。
【図３】本発明の実施の形態１に係る外壁板を左右に施工した接合構造を示す図である。
【図４】図３におけるＢ−Ｂ線による断面図である。
【図５】本発明の実施の形態２に係る外壁板の正面図である。
【図６】本発明の実施の形態２に係る外壁板を左右に施工した接合構造を示す図である。
【図７】図６におけるＣ−Ｃ線による断面図である。
【図８】本発明の実施の形態３に係る外壁板の正面図である。
【図９】本発明の実施の形態４に係る外壁板の正面図である。
【発明を実施するための形態】
【００３３】
以下、本発明を具体化した実施の形態１〜４を、図面を参照しつつ説明する。なお、図１において、上下左右の方向を矢印で表示する。また、図１において、紙面手前を表面とし、紙面奥を裏面とする。そして、図２以降の各図に示す方向は、図１に対応させて表示する。
【００３４】
（実施の形態１）
実施の形態１の建築板は、セメントを含む窯業系材料からなる外壁板１Ａである。この外壁板１Ａは、左右方向に長い略矩形状をなし、例えば、縦寸法が４５５〜１０００ｍｍ、横寸法が１８００〜３０３０ｍｍである。
【００３５】
外壁板１Ａは、例えば、左右合決り構造のものである。右端縁には右側に隣接する外壁板１Ａと重ね合わされる接合部として、裏面側で右方に突出した右実部４１Ａを有する。左端縁には左側に隣接する外壁板１Ａと重ね合わせられる接合部として、裏面側が凹んだ左実部４２Ａを有する。
【００３６】
図４に示すように、左側の外壁板１Ａの右実部４１Ａに、右側の外壁板１Ａの左実部４２Ａが重ね合わせられることにより、左右の外壁板１Ａは接合されるようになっている。また、右実部４１Ａには上下方向に断面視ビード状のコーキングＣが形成されており、右実部４１Ａの上に左実部４２Ａを重ね合わせると、コーキングＣが潰れ、外壁板１Ａの接合部分を水密な状態とするようになっている。
【００３７】
外壁板１Ａは、左右方向において、一方側である右側に右側面５１Ａを、他方側である左側に左側面５２Ａを有する。外壁板１Ａ、１Ａを左右に重ね合わせると、右側の外壁板１Ａの右側面５１Ａと左側の外壁板１Ａの左側面５２Ａは対向し、左右板の継ぎ目Ｊが形成されるようになっている。
【００３８】
外壁板１Ａは、上下方向においても両側に上、下側面５３Ａ、５４Ａを有している。本実施の形態１の場合、上、下側面５３Ａ、５４Ａは、左右方向に延びた上、下実部４３Ａ、４４Ａを有するが、実部を有さない構成とすることもできる。
【００３９】
そして、外壁板１Ａは、表面側に意匠面２Ａを有する。意匠面２Ａは、外壁板１Ａを施工した際に外壁の屋外側となる面であり、外壁板１Ａの模様や柄を構成する部分である。本実施の形態１では、意匠面２Ａは、左右方向において、左側面５２Ａの表面側の端部から右側面５１Ａの表面側の端部までの領域を占め、上下方向において、下側面５４Ａの表面側の端部から上側面５３Ａの表面側の端部までの領域を占めている。
【００４０】
意匠面２Ａは、上側面５３Ａ側に上側横目地１１１Ａを備えると共に、下側面５４Ａ側に下側第２凸部２２１Ａと下側縦目地１２１Ａを備える。下側面５４Ａ側においては、下側第２凸部２２１Ａと下側縦目地１２１Ａが交互に左右方向に並ぶようになっている。
【００４１】
上側横目地１１１Ａは上端辺６３ａに沿って、外壁板１Ａを左右に左端辺６２ａから右端辺６１ａまで形成されている。上側横目地１１１Ａの上下方向の幅は、例えば４〜５mmである。
【００４２】
下側第２凸部２２１Ａは左右方向に長い略矩形状であり、図１に示すように下端辺６４ａに沿って複数形成されている。一例として、下側第２凸部２２１Ａは、上下方向の幅が８１mm、左右方向の幅が６００〜６１５mmであり、下端辺６４ａに沿って３つ下側第２凸部２２１Ａが左右方向に並ぶようになっている。
【００４３】
下側縦目地１２１Ａは、下側第２凸部２２１Ａ、２２１Ａの間で、右、左端辺６１ａ、６２ａと平行に上下に延びている。一例として、下側縦目地１２１Ａは、左右方向の幅が３〜６mmであり、下端辺６４ａに沿って２つの下側縦目地１２１Ａが左右方向に並ぶようになっている。
【００４４】
また、意匠面２Ａは、左側面５２Ａ側に上側横目地１１１Ａ、第２凸部２２Ａ、横目地１１Ａ、左端ブロック３４ａ及び下側第２凸部２２１Ａを備える。左側面５２Ａ側においては、上端辺６３ａ側から下端辺６４ａに向かって、上側横目地１１１Ａ、第２凸部２２Ａ、横目地１１Ａ、左端ブロック３４ａ、横目地１１Ａ、第２凸部２２Ａ、横目地１１Ａ、第２凸部２２Ａ、横目地１１Ａ、左端ブロック３４ａ、横目地１１Ａ、下側第２凸部２２１Ａが上下方向に並ぶようになっている。
【００４５】
第２凸部２２Ａは左右方向に長い略矩形状であり、左端辺６２ａに沿って上下に複数形成されている。一例として、第２凸部２２Ａは、上下方向の幅が８１mm、左右方向の幅が６００〜６１５mmであり、左端辺６２ａに沿って３つの第２凸部２２Ａが上下方向に並ぶようになっている。
【００４６】
横目地１１Ａは、上端辺６３ａと平行に、外壁板１Ａを左右に左端辺６２ａから右端辺６１ａまで延びている。横目地１１Ａは、第２凸部２２Ａ、２２Ａの間、第２凸部２２Ａと左端ブロック３４ａとの間、又は下側第２凸部２２１Ａと左端ブロック３４ａとの間に形成されている。一例として、横目地１１Ａの上下方向の幅は４〜５mmであり、５つの横目地１１Ａが上下方向に並ぶようになっている。
【００４７】
左端ブロック３４ａは左右方向に長い略矩形状であるが、左右方向の幅が第２凸部２２Ａ、下側第２凸部２２１Ａよりも狭い。また、左端ブロック３４ａは、第２凸部２２Ａと第２凸部２２Ａの間、第２凸部２２Ａと下側第２凸部２２１Ａの間に形成されており、左端辺６２ａに沿って並ぶようになっている。一例として、左端ブロック３４ａは、上下方向の幅が５２mm、左右方向の幅が１５０mmであり、左端辺６２ａに沿って２つの左端ブロック３４ａが上下方向に並ぶようになっている。
【００４８】
更に意匠面２Ａは、右側面５１Ａ側に上側横目地１１１Ａ、凹部１５Ａ、横目地１１Ａ、右端ブロック３３ａ及び下側第２凸部２２１Ａを備える。右側面５１Ａ側においては、上端辺６３ａ側から下端辺６４ａに向かって、上側横目地１１１Ａ、凹部１５Ａ、横目地１１Ａ、右端ブロック３３ａ、横目地１１Ａ、凹部１５Ａ、横目地１１Ａ、凹部１５Ａ、横目地１１Ａ、右端ブロック３３ａ、横目地１１Ａ、凹部１５Ａが上下方向に並ぶようになっている。
【００４９】
凹部１５Ａは右端辺６１ａに沿って上下に延びており、上下に複数形成されている。凹部１５Ａの形状は、縦目地１２Ａと類似し、凹部１５Ａの左右方向の幅は、一例として３〜６mmである。凹部１５Ａの上下方向の幅は、左側に隣接する第２凸部２２Ａ又は下側第２凸部２２１Ａの上下方向の幅と同じである。凹部１５Ａは、別の外壁板１Ａと接合した際に、別の外壁板１Ａの第２凸部２２Ａ又は下側第２凸部２２１Ａと隣接する位置となるよう形成されている。
【００５０】
右端ブロック３３ａは左右方向に長い略矩形状であり、上下寸法及び上下方向の位置が左端ブロック３４ａと同じである。右端ブロック３３ａの左右方向の幅は左端ブロック３４ａの左右方向の幅と類似し、一例として、右端ブロック３３ａの左右方向の幅は１５０mmである。右端ブロック３３ａは、凹部１５Ａ、１５Ａの間に右端辺６１ａに沿って並ぶよう複数形成されている。
【００５１】
横目地１１Ａは、凹部１５Ａ、１５Ａの間、又は凹部１５Ａと右端ブロック３３ａとの間に形成されている。横目地１１Ａは、別の外壁板１Ａと接合した際に、別の外壁板１Ａの横目地１１Ａと隣接する位置となるよう形成されている。
【００５２】
また、意匠面２Ａには、上下方向に複数の縦目地１２Ａを有している。縦目地１２Ａは、左、右端辺６２ａ、６１ａと平行に上下に延びており、第１凸部２１Ａ、２１Ａの間、第２凸部２２Ａ、２２Ａの間、第１凸部２１Ａと右端ブロック３３ａの間、第１凸部２１Ａと左端ブロック３４ａの間に形成されている。縦目地１２Ａの左右方向の幅は、例えば３〜６mmである。
【００５３】
なお、本実施の形態１においては、左右方向が第１方向に相当し、横目地１１Ａ、上側横目地１１１Ａが第１目地に相当する。上下方向が第２方向に相当し、縦目地１２Ａ、下側縦目地１２１Ａが第２目地に相当する。
【００５４】
第１凸部２１Ａ、右端ブロック３３ａ及び左端ブロック３４ａは、横目地１１Ａと縦目地１２Ａにより区画されるようになっている。第２凸部２２Ａは、横目地１１Ａ、上側横目地１１１Ａ、縦目地１２Ａのいずれかにより区画されるようになっている。下側第２凸部２２１Ａは、横目地１１Ａと下側縦目地１２１Ａにより区画されるようになっている。
【００５５】
第１凸部２１Ａは左右方向に長い略矩形状である。一例として、第１凸部２１Ａの上下方向の幅は５２mm、左右方向の幅は３００mmである。図１に示すように、左側面５２Ａ側に位置する左端ブロック３４ａと、右側面５１Ａ側に位置する右端ブロック３３ａとの間に、複数の第１凸部２１Ａが縦目地１２Ａを介して左右に並ぶようになっている。左端ブロック３４ａと右端ブロック３３ａとの間に並ぶ第１凸部２１Ａの数は、例えば５である。本実施の形態１においては、縦目地１２Ａを介して左右に隣接する２つの第１凸部２１Ａの上下方向の位置は、同じ、又は互いに異なるよう形成されている。
【００５６】
また、第１凸部２１Ａは上下方向に延びる細溝１４Ａにより複数の第１ブロック３１ａに区画されている。
【００５７】
細溝１４Ａは、表面からの深さが縦目地１２Ａ、下側縦目地１２１Ａよりも浅く、左右の幅は縦目地１２Ａ、下側縦目地１２１Ａよりも狭い。本実施の形態１では、細溝１４Ａは断面視Ｖ形状であるが、断面視で四角形状、台形形状、円形状、楕円形状としても良い。
【００５８】
本実施の形態１では、第１凸部２１Ａは細溝１４Ａにより２つの第１ブロック３１ａに区画されている。第１ブロック３１ａは、左右方向に長い略矩形状であり、上下寸法及び左右寸法が左端ブロック３４ａと類似する。一例として、第１ブロック３１ａの左右方向の幅は１５０mmである。
【００５９】
本実施の形態１においては、細溝１４Ａを介して左右に隣接する２つの第１ブロック３１ａの上下方向の位置は、同じ、又は互いに異なるようになっている。そのため、第１凸部２１Ａは、第１ブロック３１ａの上下位置が異なる第１凸部２１１Ａと、第１ブロック３１ａの上下位置が同じ第１凸部２１２Ａとからなるようになっている。
【００６０】
第２凸部２２Ａも左右方向に長い略矩形状であるが、第１凸部２１Ａと形状が異なる。第２凸部２２Ａは、上下、左右の幅が第１凸部２１Ａよりも広く、一例として、第２凸部２２Ａの上下方向の幅は８１mm、左右方向の幅は６００〜６１５mmである。図１に示すように、左側面５２Ａ側に位置する第２凸部２２Ａと、右側面５１Ａ側に位置する凹部１５Ａとの間に、複数の第２凸部２２Ａが縦目地１２Ａを介して左右に並ぶよう形成されている。縦目地１２Ａを介して左右に隣接する２つの第２凸部２２Ａの上下方向の位置は、互いに異なるよう形成されている。
【００６１】
本実施の形態１では、第２凸部２２Ａは、左右方向に延びる横細目地１３１Ａと、上下方向に延びる縦細目地１３２Ａにより６つの第２ブロック３２ａに区画されている。
【００６２】
横細目地１３１Ａの上下方向の幅は、例えば２mmであり、縦細目地１３２Ａの左右方向の幅は、例えば２mmである。また、一例として、第２ブロック３２ａは、上下方向の幅が３０〜５０mm、左右方向の幅が１２０〜２７０mmである。なお、横細目地１３１Ａと縦細目地１３２Ａは、表面からの深さが細溝１４Ａよりも深いが縦目地１２Ａ、横目地１１Ａよりも浅く、左右の幅は細溝１４Ａよりも広いが縦目地１２Ａ、横目地１１Ａよりも狭い。縦細目地１３２Ａを介して左右に隣接する２つの第２ブロック３２ａの上下方向の位置は、同じとなるよう形成されている。
【００６３】
下側第２凸部２２１Ａも左右方向に長い略矩形状であるが、上下、左右の幅が第１凸部２１Ａよりも広い。左側面５２Ａ側に位置する下側第２凸部１２１Ａと、右側面５１Ａ側に位置する凹部１５Ａとの間に、複数の下側第２凸部２２１Ａが下側縦目地１２１Ａを介して左右に並ぶよう形成されている。下側縦目地１２１Ａを介して左右に隣接する２つの下側第２凸部２２１Ａの上下方向の位置は、互いに異なるよう形成されている。
【００６４】
下側第２凸部２２１Ａも、横細目地１３１Ａと縦細目地１３２Ａにより６つの下側第２ブロック３２１ａに区画されている。
【００６５】
そして、本実施の形態１の場合、外壁板１Ａの構造躯体への施工は、例えば、次のように行うことができる。
まず、外壁板１Ａを構造躯体に取り付ける。
【００６６】
次に、構造躯体に取り付けた外壁板１Ａの右側に、別の外壁板１Ａを取り付ける。この際に、図４に示すように、構造躯体に取り付けた外壁板１Ａの右実部４１Ａに、別の外壁板１Ａの左実部４２Ａが重ね合うように取り付ける。コーキングＣは左実部４２Ａにより潰される。
【００６７】
ここで、右側の外壁板１Ａの右側面５１Ａと左側の外壁板１Ａの左側面５２Ａは対向し、左右板の継ぎ目Ｊが形成されるようになっている。右側の外壁板１Ａの凹部１５Ａは、左側の外壁板１Ａの第２凸部２２Ａ又は下側第２凸部２２１Ａと隣接し、左右板の継ぎ目Ｊが凹部１５Ａの右縁に形成されるようになっている。
【００６８】
また、右側の外壁板１Ａの右端ブロック３３ａと左側の外壁板１Ａの左端ブロック３４ａが隣接し、第３凸部２３Ａが形成されるようになっている。第３凸部２３Ａでは、右端ブロック３３ａと左端ブロック３４ａの境に左右板の継ぎ目Ｊが形成されるようになっている。
【００６９】
更に、右側の外壁板１Ａの横目地１１Ａが左側の外壁板１Ａの横目地１１Ａと隣接し、右側の外壁板１Ａの横目地１１Ａと左側の外壁板１Ａの横目地１１Ａの境に左右板の継ぎ目が形成されるようになっている。右側の外壁板１Ａの横目地１１Ａと左側の外壁板１Ａの横目地１１Ａは繋がるようになっている。
【００７０】
以後、同じ作業を繰り返すことにより、外壁板１Ａを左右に隣合わせて構造躯体に施工した建築板の施工構造が構築される。
【００７１】
本実施の形態１の場合では、図３、４に示すように、左側の外壁板１Ａの右端ブロック３３ａと右側の外壁板１Ａの左端ブロック３４ａが隣接し、横目地１１Ａ及び縦目地１２Ａによって区画された第３凸部２３Ａが形成されるようになっている。第３凸部２３Ａは２つのブロックが左右に並ぶようになっているので、２つの第１ブロック３１ａが左右に並ぶ第１凸部２１Ａと輪郭が類似する。また、第３凸部２３Ａでは、右端ブロック３３ａと左端ブロック３４ａの境に左右板の継ぎ目Ｊが形成されるようになっているが、左右板の継ぎ目Ｊは第１凸部２１Ａの細溝１４Ａと類似する。そのため、第３凸部２３Ａは第１凸部２１Ａと類似し、左右板の継ぎ目Ｊは目立たず、意匠の連続性も失われない。
【００７２】
また、右側の外壁板１Ａの凹部１５Ａは、左側の外壁板１Ａの第２凸部２２Ａ又は下側第２凸部２２１Ａと隣接し、左右板の継ぎ目Ｊが凹部１５Ａの右縁に形成されるようになっているので、左右板の継ぎ目Ｊは目立ちにくい。なお、第２凸部２２Ａ、下側第２凸部２２１Ａの上下方向の幅は、第１凸部２１Ａ、第３凸部２３Ａの上下方向の幅よりも広いので、凹部１５Ａの右縁に形成される左右板の継ぎ目Ｊが多くなり、左右板の継ぎ目Ｊは目立ちにくい。
【００７３】
更に、凹部１５Ａは、右側の外壁板１Ａの第２凸部２２Ａと左側の外壁板１Ａの第２凸部２２Ａ、又は右側の外壁板１Ａの下側第２凸部２２１Ａと左側の外壁板１Ａの下側第２凸部２２１Ａに挟まれ、縦目地１２Ａ、下側縦目地１２１Ａと類似した形状となるようになっているので、意匠の連続性が失われない。
【００７４】
更に、右側の外壁板１Ａの横目地１１Ａは、左側の外壁板１Ａの横目地１１Ａと隣接し、右側の外壁板１Ａの横目地１１Ａと左側の外壁板１Ａの横目地１１Ａの境に左右板の継ぎ目Ｊが形成されるようになっている。左右板の継ぎ目Ｊが横目地１１Ａに形成されるので、左右板の継ぎ目は目立ちにくい。また、右側の外壁板１Ａの横目地１１Ａと左側の外壁板１Ａの横目地１１Ａが繋がるようになっているので、意匠の連続性も失われない。
【００７５】
更に、本実施の形態１では、縦目地１２Ａを介して左右に隣接する２つの第１凸部２１Ａ、第１凸部２１１Ａ内の２つの第１ブロック３１ａ、縦目地１２Ａを介して左右に隣接する２つの第２凸部２２Ａ、下側縦目地１２１Ａを介して左右に隣接する２つの下側第２凸部２２１Ａは、上下方向の位置が互いに異なる形態を有する。そのため、不陸等により外壁板１Ａ、１Ａの間にずれが生じても目立ちにくく、意匠の連続性は失われない。
【００７６】
以上のように、外壁板１Ａは、その使用状態において、板の継ぎ目が目立ちにくく、かつ高い意匠の連続性を実現するのに適する。
【００７７】
（実施の形態２）
実施の形態２の建築板は、図５に示す外壁板１Ｂである。この外壁板１Ｂは、凹部１５Ｂ、右端ブロック３３ｂと左端ブロック３４ｂが外壁板１Ａと異なる。
【００７８】
また、凹部１５Ｂの変更に伴い、右側面５１Ｂ側の第２ブロック３２ｂ、下側第２ブロック３２１ｂの左右方向の幅が、右側面５１Ａ側の第２ブロック３２ａ、下側第２ブロック３２１ａよりも大きく、左側面５２Ｂ側の第２ブロック３２ｂ、下側第２ブロック３２１ｂの左右方向の幅が、左側面５２Ａ側の第２ブロック３２ａ、下側第２ブロック３２１ａよりも小さくなっている。
【００７９】
更に、右端ブロック３３ｂの変更に伴い、右端ブロック３３ｂと第２凸部２２Ｂの間の横目地１１Ｂの上下方向の幅も変更している。他の構成は、外壁板１Ａと同じとなっている。
【００８０】
外壁板１Ｂも、右側面５１Ｂ側に、複数の凹部１５Ｂが右端辺６１ｂに沿って上下に延びるよう形成されている。しかし、外壁板１Ｂは、右側面５１Ｂ側の凹部１５Ｂの左右の幅が凹部１５Ａよりも狭くなっていることと、凹部１５Ｂを左側面５２Ｂ側にも複数備えることが外壁板１Ａと異なる。
【００８１】
右側面５１Ｂ側の凹部１５１Ｂは、左右方向の幅が凹部１５Ａよりも狭くなっている。凹部１５１Ｂの左右方向の幅は、例えば１〜３mmである。
【００８２】
また、本実施の形態２では、左側面５２Ｂ側にも凹部１５２Ｂが複数形成されるようになっている。凹部１５２Ｂの左右方向の幅は、例えば１〜３mmである。
【００８３】
左側面５２Ｂ側においては、上端辺６３ｂ側から下端辺６４ｂに向かって、上側横目地１１１Ｂ、凹部１５２Ｂ、横目地１１Ｂ、左端ブロック３４ｂ、横目地１１Ｂ、凹部１５２Ｂ、横目地１１Ｂ、凹部１５２Ｂ、横目地１１Ｂ、左端ブロック３４ｂ、横目地１１Ｂ、下側第２凸部２２１Ｂが上下方向に並ぶようになっている。左側面５２Ｂ側の凹部１５２Ｂの上下寸法、左右寸法及び上下方向の位置は、右側面５１Ｂ側の凹部１５１Ｂと同じである。
【００８４】
右端ブロック３３ｂは、上下方向の位置と、左右の縁縁の形状が右端ブロック３３ａと異なる。右端ブロック３３ｂの上下方向の位置は、左端ブロック３４ｂの上下方向の位置と異なるが、別の外壁板１Ｂと接合した際に、別の外壁板１Ｂの左端ブロック３４ｂと隣接する位置となるよう形成されている。
【００８５】
また、右端ブロック３３ｂの右縁辺と左端ブロック３４ｂの左縁辺には、右縁辺又は左縁辺に向かって傾斜した面取りが上下方向に形成されている。
【００８６】
本実施の形態２の場合も、構造躯体に取り付けた外壁板１Ｂの右実部４１Ｂに別の外壁板１Ｂの左実部４２Ｂが重ね合うように取り付けると、右側の外壁板１Ｂの右端ブロック３３ｂと左側の外壁板１Ｂの左端ブロック３４ｂが隣接し、第３凸部２３Ｂが形成されるようになっている。右端ブロック３３ｂの上下方向の位置は左端ブロック３４ｂと異なるので、第３凸部２３Ｂの輪郭は第３凸部２３Ａと異なる。
【００８７】
しかし、第３凸部２３Ｂの輪郭は、第１凸部２１１Ｂと類似する。また、本実施の形態２では、第３凸部２３Ｂに形成される左右板の継ぎ目は、右端ブロック３３ｂと左端ブロック３４ｂの面取りにより断面視Ｖ形状となるので、本実施の形態１よりもより第１凸部２１Ｂの細溝１４Ｂに類似する。そのため、第３凸部２３Ｂは第１凸部２１Ｂと類似し、左右板の継ぎ目Ｊは目立たず、意匠の連続性も失われない。更に、施工の際に、端ブロック３３ｂ、３４ｂの上下方向の位置を厳密に合わせる必要がないので、作業性に優れる。
【００８８】
また、図７に示すように、構造躯体に取り付けた外壁板１Ｂの右実部４１Ｂに別の外壁板１Ｂの左実部４２Ｂが重ね合うように取り付けると、右側の外壁板１Ｂの凹部１５１Ｂと左側の外壁板１Ｂの凹部１５２Ｂが隣接し、左右板の継ぎ目Ｊが凹部１５１Ｂ、１５２Ｂの間に形成されるようになっているので、左右板の継ぎ目Ｊは目立ちにくい。凹部１５１Ｂ、１５２Ｂが隣接すると、縦目地１２Ｂ、下側縦目地１２１Ｂと類似した形状となるようになっているので、意匠の連続性が失われない。
【００８９】
更に、右側の外壁板１Ｂの横目地１１Ｂは、左側の外壁板１Ｂの横目地１１Ｂと隣接し、右側の外壁板１Ｂの横目地１１Ｂと左側の外壁板１Ｂの横目地１１Ｂの境に左右板の継ぎ目Ｊが形成されるようになっているので、左右板の継ぎ目Ｊは目立ちにくく、意匠の連続性も失われないことは実施の形態１と同じである。
【００９０】
以上のように、外壁板１Ｂも、その使用状態において、板の継ぎ目が目立ちにくく、かつ高い意匠の連続性を実現するのに適する。
【００９１】
（実施の形態３）
実施の形態３の建築板は、図８に示す外壁板１Ｃである。この外壁板１Ｃは、縦細目地１３２Ｃを介して隣接する第２ブロック３２ｃの上下位置が異なる第２凸部２２２Ｃを備えることが外壁板１Ａと異なる。また、第２凸部２２２Ｃの変更に伴い、横目地１１Ｃの上下幅も変更している。他の構成は、外壁板１Ａと同じとなっている。
【００９２】
外壁板１Ｃも、第２凸部２２Ｃは、左右方向に延びる横細目地１３１Ｃと、上下方向に延びる縦細目地１３２Ｃにより６つの第２ブロック３２ｃに区画されている。しかし、外壁板１Ｃは、第２ブロック３２ｃの上下位置が揃っていない第２凸部２２２Ｃを備えることが外壁板１Ａと異なる。第２凸部２２２Ｃでは、縦細目地１３２Ｃの右側の第２ブロック３２ｃと左側の第２ブロック３２ｃは上下位置が異なる。そのため、第２凸部２２２Ｃの上端辺及び下端辺は直線状ではない。
【００９３】
本実施の形態３の場合も、構造躯体に取り付けた外壁板１Ｃの右実部４１Ｃに別の外壁板１Ｃの左実部４２Ｃが重ね合うように取り付けると、実施の形態１と同様に、左右板の継ぎ目は目立たず、意匠の連続性が失われない。
【００９４】
また、外壁板１Ｃは、第２凸部２２２Ｃを備えるので、不陸等により外壁板１Ｃ、１Ｃの間にずれが生じてもより目立ちにくく、意匠の連続性は失われない。
【００９５】
（実施の形態４）
実施の形態４の建築板は、図９に示す外壁板１Ｄである。この外壁板１Ｄは、１２の第２ブロック３２ｄからなる第２凸部２２３Ｄを備えること、左右方向に並ぶ第２凸部２２Ｄ、２２３Ｄ、下側第２凸部２２１Ｄの上下位置が揃うよう形成されていることが外壁板１Ａと異なる。また、第２凸部２２３Ｄに伴い、横目地１１Ｄの数を変更している。更に、第２凸部２２Ｄ、２２３Ｄ、下側第２凸部２２１Ｄの変更に伴い、横目地１１Ｄの上下幅も変更している。他の構成は、外壁板１Ａと同じとなっている。
【００９６】
第２凸部２２３Ｄは、左右方向に延びる横細目地１３１Ｄと、上下方向に延びる縦細目地１３２Ｄにより１２の第２ブロック３２ｄに区画されている。
【００９７】
本実施の形態４の場合も、構造躯体に取り付けた外壁板１Ｄの右実部４１Ｄに別の外壁板１Ｄの左実部４２Ｄが重ね合うように取り付けると、実施の形態１と同様に、左右板の継ぎ目は目立たず、意匠の連続性が失われない。
【００９８】
本発明は上記実施の形態１〜４に制限されるものではなく、その趣旨を逸脱しない範囲で適宜変更して適用できる。
【００９９】
例えば、細溝により第１凸部を３つ以上に区画しても良い。左右方向に並ぶ第１凸部の上下位置を同じとしても良い。細溝と細目地の左右幅を同じとしても良い。第１ブロック、第２ブロック、右端ブロック、左端ブロックには凹凸、傾斜などの任意の模様を施すことができる。第２凸部は細目地ではなく、各第２ブロックの表面の模様を異ならせることにより区画しても良い。
【符号の説明】
【０１００】
１Ａ〜１Ｄ…外壁板
２Ａ〜２Ｄ…意匠面
１１Ａ〜１１Ｄ…横目地（第１目地）
１１１Ａ〜１１１Ｄ…上側横目地（第１目地）
１２Ａ〜１２Ｄ…縦目地（第２目地）
１２１Ａ〜１２１Ｄ…下側縦目地（第２目地）
１３１Ａ〜１３１Ｄ…横細目地
１３２Ａ〜１３２Ｄ…縦細目地
１４Ａ〜１４Ｄ…細溝
１５Ａ〜１５Ｄ…凹部
２１Ａ〜２１Ｄ…第１凸部
２１１Ａ〜２１１Ｄ…上下位置が異なる第１ブロックが隣接した第１凸部
２１２Ａ〜２１２Ｄ…上下位置が同じ第１ブロックが隣接した第１凸部
２２Ａ〜２２Ｄ…第２凸部
２２１Ａ〜２２１Ｄ…下側第２凸部
２２２Ｃ…上下位置が異なる第２ブロックが隣接した第２凸部
２２３Ｄ…１２の第２ブロックからなる第２凸部
２３Ａ〜２３Ｂ……第３凸部
３１ａ〜３１ｄ…第１ブロック
３２ａ〜３２ｄ…第２ブロック
３２１ａ〜３２１ｄ…下側第２ブロック
３３ａ〜３３ｄ…右端ブロック
３４ａ〜３４ｄ…左端ブロック
４１Ａ〜４１Ｄ…右実部
４２Ａ〜４２Ｄ…左実部
４３Ａ〜４３Ｄ…上実部
４４Ａ〜４４Ｄ…下実部
５１Ａ〜５１Ｄ…右側面
５２Ａ〜５２Ｄ…左側面
５３Ａ〜５３Ｄ…上側面
５４Ａ〜５４Ｄ…下側面
６１ａ〜６１ｄ…右端辺
６２ａ〜６２ｄ…左端辺
６３ａ〜６３ｄ…上端辺
６４ａ〜６４ｄ…下端辺
Ｃ…コーキング
Ｊ…板の継ぎ目
【図１】
2020084571.tif 000003
【図２】
2020084571.tif 000004
【図３】
2020084571.tif 000005
【図４】
2020084571.tif 000006
【図５】
2020084571.tif 000007
【図６】
2020084571.tif 000008
【図７】
2020084571.tif 000009
【図８】
2020084571.tif 000010
【図９】
2020084571.tif 000011